(57)【特許請求の範囲】
【請求項１】
電気通信網（１）と、
電気通信網（１）に接続される変換／伝送センタ（２）と、
関連するＡ番号を有し電気通信網（１）を介して変換／伝送センタ（２）に接続される第１電気通信端末（３）と、
関連するＢ番号を有し電気通信網（１）を介して変換／伝送センタ（２）に接続される第２電気通信端末（４）と、
第２電気通信端末（４）に接続される作動装置（５）とを含み、
第１電気通信端末からの呼出しを開始するために、接続特有の情報が、第１電気通信端末（３）から第２電気通信端末（４）に伝送され、
加入者特有の任意の変数の少なくとも一部を含み前記作動装置（５）を制御するための制御情報が、第１電気通信端末から変換／伝送センタ（２）に送信されるダイヤルに加えられて、ダイヤルが少なくともＢ番号および制御情報を含む情報通信システムにおいて、加入者特有の情報を伝送する方法であって、
呼出しを開始するために、前記Ｂ番号と前記制御情報とを含むダイヤルを、前記第１電気通信端末（３）から変換／伝送センタ（２）に送信する工程と、
前記変換／伝送センタ（２）において、前記第１電気通信端末（３）から受信したダイヤルに基づいて、前記Ｂ番号および前記制御情報を識別する工程と、
前記変換／伝送センタ（２）において、前記変換／伝送センタ（２）から第２電気通信端末（４）に伝送されるＡ番号領域に前記制御情報を加え、および／または、Ａ番号領域を前記制御情報に置き換えることによって、Ａ番号領域を変更する工程と、
変更されたＡ番号領域に含まれる情報に基づいて、作動装置（５）を制御する工程と、
を含むことを特徴とする方法。
【請求項２】
変換／伝送センタにおいて、第１電気通信端末（３）の地理学的位置に従う情報、および／または、時間および／または他の要素に従う情報が、伝送されるＡ番号領域に加えられることを特徴とする請求項１に記載の方法。
【請求項３】
Ａ番号領域に配置される制御情報は、呼出し要求と関連して伝送されることを特徴とする請求項１または請求項２に記載の方法。
【請求項４】
制御要求の実行の確認が第１電気通信端末（３）に送信されることを特徴とする請求項１〜３に記載の方法。
【請求項５】
制御要求の実行の確認が、呼出しに出ることによって、第１電気通信端末（３）に送信されることを特徴とする請求項１〜４に記載の方法。
【請求項６】
電気通信網（１）と、
電気通信網（１）に接続される変換／伝送センタ（２）と、
関連するＡ番号を有し電気通信網（１）を介して変換／伝送センタ（２）に接続される第１電気通信端末（３）と、
関連するＢ番号を有し電気通信網（１）を介して変換／伝送センタ（２）に接続される第２電気通信端末（４）と、
第２電気通信端末（４）に接続される作動装置（５）とを含み、
第１電気通信端末からの呼出しを開始するために、システムの情報が、第１電気通信端末（３）から第２電気通信端末（４）に伝送され、
加入者特有の任意の変数の少なくとも一部を含み前記作動装置（５）を制御するための制御情報が、第１電気通信端末から変換／伝送センタ（２）に送信されるダイヤルに加えられて、ダイヤルが少なくともＢ番号および制御情報を含む情報通信システムであって、
呼出しを開始するために、前記Ｂ番号と前記制御情報とを含むダイヤルを、変換／伝送センタ（２）に送信するための手段（３）と、
前記変換／伝送センタ（２）において、前記第１電気通信端末（３）から受信したダイヤルに基づいて、前記Ｂ番号および前記制御情報を識別するための手段（２）と、
前記変換／伝送センタ（２）において、前記変換／伝送センタ（２）から第２電気通信端末（４）に伝送するＡ番号領域に前記制御情報を加えることにより、当該Ａ番号領域を変更するための手段（６）と、
変更されたＡ番号領域内に含まれる情報に基づいて作動装置（５）を制御するための手段（７）と、
を含むことを特徴とするシステム。
【請求項７】
第１電気通信端末（３）の地理学的位置に従う情報、および／または、時間および／または他の要素に従う情報を、伝送されるＡ番号領域に加えるための手段（８）を含むことを特徴とする請求項６に記載のシステム。
【請求項８】
変換／伝送センタ（２）は、電話交換機であることを特徴とする請求項６または請求項７に記載のシステム。
【請求項９】
変換／伝送センタ（２）は、メッセージセンタであることを特徴とする請求項６〜８に記載のシステム。
【請求項１０】
変換／伝送センタ（２）は、ＶＲＵであることを特徴とする請求項６〜９に記載のシステム。
【請求項１１】
第１電気通信端末（３）は、移動局であることを特徴とする請求項６〜請求項１０に記載のシステム。
【請求項１２】
第２電気通信端末（４）は、移動局であることを特徴とする請求項６〜１１に記載のシステム。
【請求項１３】
第１電気通信端末（３）は、一般加入電話網における電話装置であることを特徴とする請求項６〜１２に記載のシステム。
【請求項１４】
第２電気通信端末（４）は、番号表示装置またはその同等物であることを特徴とする請求項６〜１３に記載のシステム。
【発明の詳細な説明】
【０００１】
発明の属する技術分野
本発明は、情報通信システムに関する。特に、本発明は、電気通信端末間に流れる情報量を増加することができる新型の方法およびシステムに関する。
【０００２】
発明の背景
従来、一般加入電話網（ＰＳＴＮ）では、ダイヤル呼出し情報は、パルスの形態で作り出されていた。しかしながら、この操作方法は、呼出し特有の補充情報の伝送を許さなかった。パルスダイヤル呼出し後の次のステップは、トーン周波数ダイヤル呼出しである。パルスダイヤル呼出しと比較して、トーン周波数ダイヤル呼出しは、例えば、より早いダイヤル呼出しという利点や、ダイヤル呼出し後の補充情報の送信可能性を提供する。移動通信システム、例えばＧＳＭシステム（ＧＳＭ、デジタル携帯電話システム方式）とともに、着呼は、場所に依存しなくなった。移動通信システムは、ショートメッセージサービスを、通信の新しい形態の増大のための先駆けに位置付けた。自然な開発によれば、新たなシステムは、顧客の満足を高める新しいサービスおよび解決策をもたらす。
【０００３】
ＩＳＤＮシステム（ＩＳＤＮ、統合デジタル通信網）および大部分のモバイル通信システムでは、呼出し特有の信号と一緒に、発呼者、すなわちＡ番号に関する情報を伝送することが可能である。これは、実際に、発呼者の識別子として、受信端末に現れる。さらに、呼出しがセットアップした後、たとえば、トーン周波数メニューに基づくトーン周波数選択項目によって多様な機能を選択することができる。この場合、電話交換機は、たとえば、受信したトーン周波数信号によって制御されるインテリジェント周辺機器（ＩＰ）と通信する。
【０００４】
呼出しのセットアップ後に着呼者の端末に補充情報を伝送することは、着呼者側の番号が特別に値段がついたサービス番号である場合、遅いだけでなく高価である。データ接続またはＧＳＭテキストメッセージを使用することによって、たとえば、自動アプリケーションと通信することが可能である。問題は、呼出しのセットアップの遅鈍、または、ＧＳＭテキストメッセージの伝送時間の変動である。しかしながら、最悪の問題は、番号の長さに関する制限により、全ての自動アプリケーションのためにＢまたはＣ番号において伝送できる情報量が十分ではないことである。
【０００５】
本発明の目的は、上記欠点を取り除き、あるいは、少なくともかなり軽減することである。
【０００６】
本発明の特定の目的は、特に多様な自動アプリケーションを考慮して、呼出し要求とともにより大きな情報量の伝送を可能とする新型の方法およびシステムを開示することである。この方法では、呼出し要求とともに送信されるＡ番号領域が、新たな方法で使用される。それは、加入者特有の情報に置き換えられ、あるいは、そのような情報が加えられる。
【０００７】
本発明は、呼出し要求と関連した情報の伝送のために音声チャネルに接続することを不必要にするが、Ａ者および電話交換機に対して伝送する受信通知として、実行された呼出しに答える。加えて、Ａ番号領域内で運ばれる番号データは、簡単に分析されることができる。
【０００８】
本発明の機能的特徴に関しては、請求項に言及される。
【０００９】
発明の簡単な説明
本発明の方法は、情報通信システムにおける加入者特定の補充情報の伝送に関する。情報通信システムは、好ましくは、電気通信網と、第１および第２電気通信端末と、変換／伝送センタと、作動装置とを含む。第１および第２電気通信端末は、電気通信網を介して、変換／伝送センタに接続されている。システムに含まれる作動装置は、第２電気通信端末に接続されている。
【００１０】
本方法では、情報は第１電気通信端末から第２電気通信端末に伝送される。受信者の標準の識別番号、すなわち、Ｂ番号に、任意の番号が加えられる。変換／伝送センタでは、通常のＢ番号に付加される補充情報が付加されることによって、さらに送信されるＡ番号領域が変更される。Ａ番号領域は、完全に新しい情報、たとえば、Ｂ番号に付加された番号に置き換えられることによっても変更される。さらに、Ａ番号領域に加え、または、それを第１電気通信端末の地理学的位置に従う情報、および／または、時間および／または他の要素に従う情報に置き換えることが可能である。第２電気通信端末に接続される作動装置は、第２電気通信端末に伝送されるＡ番号領域に含まれる情報に基づいて制御される。制御要求の実行の確認は、第１電気通信端末に送信される。このような方法で、所望の制御機能がうまく実行されたかどうかを確かめることができる。
【００１１】
本発明のシステムは、Ａ番号領域に制御情報を加えることにより変換／伝送センタから第２電気通信端末まで伝送されるＡ番号領域を変更するための手段と、Ａ番号領域内の情報で作動装置を制御するための手段とを含む。
【００１２】
本発明のシステムは、さらに、第１電気通信端末の地理学的位置に従う情報、および／または、時間および／または他の要素に従う情報を加えるための手段を含む。さらに、本システムに含まれる変換／伝送センタは、電話交換機、メッセージセンタまたはＶＲＵ（ＶＲＵ、音声応答装置）、例えばＩＢＭダイレクトトークであってもよい。さらに、第１および第２電気通信端末は、移動局であってもよい。第１電気通信端末は、また、一般加入電話網における電話機であってもよい。
【００１３】
従来技術と比較して、本発明は、呼出し要求と共に伝送される情報量を増加させる効果を提供する。本発明の更なる効果は、情報の伝送のために音声チャネルを接続する必要がないということである。さらに他の効果は、Ａ番号領域で運ばれる情報が単純な方法および手段により分析できるということである。
【００１４】
説明図のリスト
以下では、いくつかの詳しい実施形態によって本発明を説明する。
【００１５】
図１は、本発明の好ましいシステムを示す。
【００１６】
図２は、図１に示すシステムの動作を図示するアプリケーションの実例を示す。
【００１７】
図１に示されるシステムは、電気通信網１と、電気通信網１に接続される変換／伝送センタ２とを含む。電気通信網１は、たとえば、ＰＳＴＮ（一般加入電話網）またはＰＬＭＮ（一般移動通信網）である。本システムは、さらに、電気通信網１を介して変換／伝送センタ２に接続される第１電気通信端末３および第２電気通信端末４を含む。さらに、本システムは、第２電気通信端末４に接続される作動装置５を含む。
【００１８】
本システムは、変換／伝送センタ２から第２電気通信端末４に送信されるＡ番号領域に制御情報を加えることによって、当該Ａ番号領域を変更するための手段６を含む。さらに、本システムは、Ａ番号領域に含まれる情報に基づいて作動装置５を制御するための手段７を含む。加えて、そのシステムは、第１電気通信端末３の地理学的位置に従う情報、および／または、時間および／または他の要素に従う情報を伝送されるＡ番号領域に加えるための手段８を含む。
【００１９】
実行される手段６〜８は、それ自体でいわば理解されるので、詳細については説明しない。
【００２０】
図２は、図１に図示されるシステムの操作のアプリケーションの実例を示す。実例では、発呼者はジュークボックスを制御したくて、番号０６００‐８００‐２０‐１２３４に電話をかける（ステップ２０）。呼出しがセットアップされ、Ａ番号領域では、番号０４００‐６６５１００が伝送される（ステップ２１）。ネットワーク、この実例では、ＩＮネットワーク（ＩＮ、インテリジェントネットワーク）における電話交換機は、Ａ番号領域内の番号データを２０  １２３４に変更する（ステップ２３）。ステップ２２において、初めに選択されたサービス番号が最終的な番号、すなわちＣ番号としてセットされることによって、番号変換が実行される。この実例では、発呼者が電話によってジュークボックスに２０マルクの金銭的入力を行い、編番号１２３４を演奏させるための最初の手段において、特別な番号２０  １２３４がダイヤルされる電話番号に加えられる。受信側の装置は、入力情報を受信し、Ａ番号領域に含まれる情報に従って自動装置を制御する、自動装置内の電話コンポーネントであってもよい。本実例では、発呼者により選択されるサービスは、電話料金請求書において請求される。受信側の装置は、二者択一的に、番号表示装置、または必要なソフトウェアが供給されたコンピュータであってもよい。
【００２１】
図１によるシステムの他の実施形態では、Ａ者（０４００‐６６５１００）は、自動軽食装置（０６００‐８８５５０‐ＸＸ）の番号に電話をかけて、この電話によって１８マルクを払いたい。本発明によれば、Ａ者は番号０６００‐８８５５０‐１８にダイヤルする。その番号は、変換／伝送センタ、たとえば、電話交換機において、この実例では０４０Ｅ‐１２３４６５である自動装置の実際のＣ番号に変換される。その電話交換機は、番号０４００‐６６５１００‐１８として識別をＡ者に知らせる。自動装置は、Ａ番号の最後の２桁がＡ者によって明示された購入のための支払い量を示すことを識別する。自動装置がＡ番号を解読したあと、そのディスプレイは、たとえば「ＦＩＭ  １８を支払った」というメッセージを表示する。これは、発呼者が当該装置から総額ＦＩＭ  １８で製品を選択することを示す。
【００２２】
本発明は、上記したその実施形態の実例に制限されず、請求項に規定される技術的思想の範囲内で多様な変更が可能である。
【図面の簡単な説明】
【図１】  本発明の好ましいシステムを示す。
【図２】  図１に示すシステムの動作を図示するアプリケーションの実例を示す。
【符号の説明】
１…電気通信網
２…変換／伝送センタ
３…第１電気通信端末
４…第２電気通信端末
５…作動装置
６…Ａ番号領域変更手段
７…作動装置制御手段
８…情報付加手段
【図１】
0004515641.tif 000002
【図２】
0004515641.tif 000003